(57)【要約】【課題】  発信側ＩＰ端末で着信側モバイルＩＰ端末の電話番号の代わりに着信側モバイルＩＰ端末のメールアドレスを用いて電話発信を行い得るようにする。【解決手段】  メールアドレス発信モードにした発信側モバイルＩＰ端末１ａ−１から送出された着信側モバイルＩＰ端末１ｂ−１のメールアドレスに基づき管理サーバ２−１から送出された着信側モバイルＩＰ端末に対する接続要求を受けた呼制御サーバ５は、受信した接続要求に基づき、各モバイルＩＰ端末のメールアドレス等を含むモバイルＩＰ端末管理データベースを検索することにより、着信側モバイルＩＰ端末を管理する管理サーバ２−２に端末接続要求を送出し、前記端末接続要求を受信した管理サーバ２−２から着信側モバイルＩＰ端末に当該呼を着信させ、着信側モバイルＩＰ端末の応答に応じて発信側モバイルＩＰ端末および着信側モバイルＩＰ端末間の接続制御を行う。【選択図】図１
2005354458.tif 000002
【特許請求の範囲】
【請求項１】
所定のメールアドレスを有する少なくとも１つのモバイルＩＰ端末を管理サーバに無線接続して成る無線ＬＡＮ網を複数備え、前記複数の無線ＬＡＮ網の管理サーバをそれぞれ呼制御サーバに接続して一括管理するように構成したインターネットにおいて、モバイルＩＰ端末から他のモバイルＩＰ端末に対して電話発信を行うに際し、
各管理サーバにおいて、モバイルＩＰ端末から送出された端末状態通知を更新記録して成る管理下端末情報通知を生成して送出する工程と、
呼制御サーバにおいて、前記各管理サーバから送出された管理下端末情報通知に基づき各モバイルＩＰ端末のメールアドレス、ＩＰアドレスおよび無線接続された管理サーバに関する情報を含むモバイルＩＰ端末管理データベースを生成する工程と、
発信側モバイルＩＰ端末をメールアドレス発信モードに切り換えた後に、着信側モバイルＩＰ端末のメールアドレスを無線接続された管理サーバに送出する工程と、
前記メールアドレスを受信した管理サーバから呼制御サーバに着信側モバイルＩＰ端末に対する接続要求を送出する工程と、
呼制御サーバにおいて、受信した接続要求に基づき前記モバイルＩＰ端末管理データベースを検索することにより、着信側モバイルＩＰ端末を管理する管理サーバに端末接続要求を送出する工程と、
前記端末接続要求を受信した管理サーバから着信側モバイルＩＰ端末に当該呼を着信させる工程と、
着信側モバイルＩＰ端末の応答に応じて発信側モバイルＩＰ端末および着信側モバイルＩＰ端末間の接続制御を行う工程と、
を行うことを特徴とするモバイルＩＰ端末に対する電話発信方法。
【請求項２】
所定のメールアドレスを有する少なくとも１つのモバイルＩＰ端末を管理サーバに無線接続して成る無線ＬＡＮ網を複数備えるインターネットにおいて、モバイルＩＰ端末から他のモバイルＩＰ端末に対して電話発信を行うに際し、
各管理サーバにおいて、モバイルＩＰ端末から送出された端末状態通知に基づき各モバイルＩＰ端末のメールアドレス、ＩＰアドレスおよび当該管理サーバに関する情報を含むモバイルＩＰ端末管理データベースを生成する工程と、
発信側モバイルＩＰ端末をメールアドレス発信モードに切り換えた後に、着信側モバイルＩＰ端末のメールアドレスを無線接続された管理サーバに送出する工程と、
前記メールアドレスを受信した管理サーバから他の全ての管理サーバにそれぞれ着信側モバイルＩＰ端末に対する接続要求を送出する工程と、
前記接続要求を受信した管理サーバのそれぞれにおいて、受信した接続要求に基づき前記モバイルＩＰ端末管理データベースを検索することにより、着信側モバイルＩＰ端末が管理下にあるか否かを判定する工程と、
着信側モバイルＩＰ端末を管理する管理サーバから着信側モバイルＩＰ端末に当該呼を着信させる工程と、
着信側モバイルＩＰ端末の応答に応じて発信側モバイルＩＰ端末および着信側モバイルＩＰ端末間の接続制御を行う工程と、
を行うことを特徴とするモバイルＩＰ端末に対する電話発信方法。
【請求項３】
所定のメールアドレスを有する少なくとも１つのモバイルＩＰ端末を管理サーバに無線接続して成る無線ＬＡＮ網と、前記無線ＬＡＮ網および少なくとも１つの固定ＩＰ端末を呼制御サーバにＬＡＮ接続して成るインターネットにおいて、固定ＩＰ端末からモバイルＩＰ端末に対して電話発信を行うに際し、
前記管理サーバにおいて、モバイルＩＰ端末から送出された端末状態通知に基づき各モバイルＩＰ端末のメールアドレスおよびＩＰアドレスに関する情報を含むモバイルＩＰ端末管理データベースを生成する工程と、
発信側固定ＩＰ端末をメールアドレス発信モードに切り換えた後に、着信側モバイルＩＰ端末のメールアドレスを前記呼制御サーバに送出する工程と、
前記呼制御サーバから前記管理サーバに着信側モバイルＩＰ端末に対する接続要求を送出する工程と、
前記管理サーバにおいて、受信した接続要求に基づき前記モバイルＩＰ端末管理データベースから着信側モバイルＩＰ端末を検索し、当該着信側モバイルＩＰ端末に当該呼を着信させる工程と、
着信側モバイルＩＰ端末の応答に応じて発信側モバイルＩＰ端末および着信側モバイルＩＰ端末間の接続制御を行う工程と、
を行うことを特徴とするモバイルＩＰ端末に対する電話発信方法。
【発明の詳細な説明】
【技術分野】
【０００１】
本発明は、少なくとも１つのモバイルＩＰ端末を管理サーバに無線接続して成る無線ＬＡＮ網を備えるインターネットにおいて、ＩＰ端末からモバイルＩＰ端末に対してそのモバイルＩＰ端末のメールアドレスを用いて電話発信を行う、モバイルＩＰ端末に対する電話発信方法に関するものである。
【背景技術】
【０００２】
インターネットにおいてＩＰ端末同士で通話（音声通信）を行う従来技術としては、インターネット経由の通話に先立ち、発信側ＩＰ端末から、着信側ユーザが所有する異なるメールアドレスを有する複数の着信側ＩＰ端末に、自己のインターネット上のＩＰアドレスを含む電子メールを同時に送信しておき、前記電子メールを受信した着信側ユーザが１つの着信側ＩＰ端末により着信を認識した後に、他の着信側ＩＰ端末を起動して前記電子メールから取得したＩＰアドレスを用いて発信側ＩＰ端末に発信することによりＩＰ端末同士で通話を行う方法（例えば特許文献１参照）が提案されている。
【０００３】
現在提供されている各種ＩＰ電話サービスにおいては、発信側ＩＰ端末から着信側ＩＰ端末に電話発信を行う際には事前に着信側ＩＰ端末の電話番号を認知している必要があるが、携帯電話等のモバイル環境下では着信側ＩＰ端末のメールアドレスのみを知っていて着信側ＩＰ端末の電話番号を知らない場合も多いため、着信側ＩＰ端末の電話番号を知らない場合には、例えば「相手の電話番号を教えてもらうための電子メール」を事前に着信側ＩＰ端末に送信することにより、着信側ＩＰ端末の電話番号を取得しておく必要があった。これに対し、上記従来技術では、例えば発信側固定ＩＰ端末から着信側固定ＩＰ端末および携帯電話に、自己のインターネット上のＩＰアドレスを含む電子メールを同時に送信したときに、１つの着信側ＩＰ端末で着信を認識したユーザが、前記電子メールから取得したＩＰアドレスを用いて他の着信側ＩＰ端末で発信側ＩＰ端末に掛け直して、それに発信側固定ＩＰ端末が応答した場合には、発信側固定ＩＰ端末で通信の接続に必要な着信側ＩＰ端末のＩＰアドレスを事前に認知していない場合であっても、インターネット上でのＩＰ端末同士の通話を実現できるようになる。
【０００４】
【特許文献１】特開２００３−２４４３４１号公報
【発明の開示】
【発明が解決しようとする課題】
【０００５】
上記従来技術は、（１）着信側ユーザが、固定ＩＰ端末および携帯電話のような２つのＩＰ端末を所有しており、（２）例えば携帯電話で着信を認識した着信側ユーザが、前記電子メールから取得したＩＰアドレスを用いて固定ＩＰ端末で発信側ＩＰ端末に掛け直す発信操作を行い、（３）発信操作時のＩＰアドレスが発信側ＩＰ端末のＩＰアドレスとして有効に機能して発信側ＩＰ端末に着信がなされ、（４）その着信に発信側ＩＰ端末が応答する、という４つの条件の全てが成立した場合に限りＩＰ端末同士の通話が成立するため、実際に通話が成立する可能性が極めて低い。その上、発信側ＩＰ端末の発信操作のみによって直接的に通話が成立するのではないため、仮に通話が成立した場合であっても、発信側ＩＰ端末が電子メールを送信してからＩＰ端末同士の通話が成立するまでに長時間を要することになる。
また、上記従来技術において、例えば発信側ＩＰ端末が「携帯ＩＰ端末」である場合には、現在広く普及しているＩＰｖ４を利用するモバイル環境下では、使用するＩＰドレスがプライベートアドレスとなるため、発信側ＩＰ端末を管理する基地局が車両による移動等によって切り換わった場合には、電子メール受信時の発信側ＩＰ端末のＩＰアドレスと着信側ユーザが上記（２）の発信操作を行うときに使用する発信側ＩＰ端末のＩＰアドレスとが異なるものとなるため、着信自体が不可能になり、通話が成立しない。
【０００６】
本発明は、発信側ＩＰ端末で着信側モバイルＩＰ端末の電話番号の代わりに着信側モバイルＩＰ端末のメールアドレスを用いて電話発信を行い得るようにする、モバイルＩＰ端末に対する電話発信方法を提供することを目的とする。
【課題を解決するための手段】
【０００７】
上記目的を達成するため、請求項１に記載の第１発明は、所定のメールアドレスを有する少なくとも１つのモバイルＩＰ端末を管理サーバに無線接続して成る無線ＬＡＮ網を複数備え、前記複数の無線ＬＡＮ網の管理サーバをそれぞれ呼制御サーバに接続して一括管理するように構成したインターネットにおいて、モバイルＩＰ端末から他のモバイルＩＰ端末に対して電話発信を行うに際し、各管理サーバにおいて、モバイルＩＰ端末から送出された端末状態通知を更新記録して成る管理下端末情報通知を生成して送出する工程と、呼制御サーバにおいて、前記各管理サーバから送出された管理下端末情報通知に基づき各モバイルＩＰ端末のメールアドレス、ＩＰアドレスおよび無線接続された管理サーバに関する情報を含むモバイルＩＰ端末管理データベースを生成する工程と、発信側モバイルＩＰ端末をメールアドレス発信モードに切り換えた後に、着信側モバイルＩＰ端末のメールアドレスを無線接続された管理サーバに送出する工程と、前記メールアドレスを受信した管理サーバから呼制御サーバに着信側モバイルＩＰ端末に対する接続要求を送出する工程と、呼制御サーバにおいて、受信した接続要求に基づき前記モバイルＩＰ端末管理データベースを検索することにより、着信側モバイルＩＰ端末を管理する管理サーバに端末接続要求を送出する工程と、前記端末接続要求を受信した管理サーバから着信側モバイルＩＰ端末に当該呼を着信させる工程と、着信側モバイルＩＰ端末の応答に応じて発信側モバイルＩＰ端末および着信側モバイルＩＰ端末間の接続制御を行う工程と、を行うことを特徴とする。
【０００８】
上記目的を達成するため、請求項２に記載の第２発明は、所定のメールアドレスを有する少なくとも１つのモバイルＩＰ端末を管理サーバに無線接続して成る無線ＬＡＮ網を複数備えるインターネットにおいて、モバイルＩＰ端末から他のモバイルＩＰ端末に対して電話発信を行うに際し、各管理サーバにおいて、モバイルＩＰ端末から送出された端末状態通知に基づき各モバイルＩＰ端末のメールアドレス、ＩＰアドレスおよび当該管理サーバに関する情報を含むモバイルＩＰ端末管理データベースを生成する工程と、発信側モバイルＩＰ端末をメールアドレス発信モードに切り換えた後に、着信側モバイルＩＰ端末のメールアドレスを無線接続された管理サーバに送出する工程と、前記メールアドレスを受信した管理サーバから他の全ての管理サーバにそれぞれ着信側モバイルＩＰ端末に対する接続要求を送出する工程と、前記接続要求を受信した管理サーバのそれぞれにおいて、受信した接続要求に基づき前記モバイルＩＰ端末管理データベースを検索することにより、着信側モバイルＩＰ端末が管理下にあるか否かを判定する工程と、着信側モバイルＩＰ端末を管理する管理サーバから着信側モバイルＩＰ端末に当該呼を着信させる工程と、着信側モバイルＩＰ端末の応答に応じて発信側モバイルＩＰ端末および着信側モバイルＩＰ端末間の接続制御を行う工程と、を行うことを特徴とする。
【０００９】
上記目的を達成するため、請求項３に記載の第３発明は、所定のメールアドレスを有する少なくとも１つのモバイルＩＰ端末を管理サーバに無線接続して成る無線ＬＡＮ網と、前記無線ＬＡＮ網および少なくとも１つの固定ＩＰ端末を呼制御サーバにＬＡＮ接続して成るインターネットにおいて、固定ＩＰ端末からモバイルＩＰ端末に対して電話発信を行うに際し、前記管理サーバにおいて、モバイルＩＰ端末から送出された端末状態通知に基づき各モバイルＩＰ端末のメールアドレスおよびＩＰアドレスに関する情報を含むモバイルＩＰ端末管理データベースを生成する工程と、発信側固定ＩＰ端末をメールアドレス発信モードに切り換えた後に、着信側モバイルＩＰ端末のメールアドレスを前記呼制御サーバに送出する工程と、前記呼制御サーバから前記管理サーバに着信側モバイルＩＰ端末に対する接続要求を送出する工程と、前記管理サーバにおいて、受信した接続要求に基づき前記モバイルＩＰ端末管理データベースから着信側モバイルＩＰ端末を検索し、当該着信側モバイルＩＰ端末に当該呼を着信させる工程と、着信側モバイルＩＰ端末の応答に応じて発信側モバイルＩＰ端末および着信側モバイルＩＰ端末間の接続制御を行う工程と、を行うことを特徴とする。
【発明の効果】
【００１０】
第１発明によれば、所定のメールアドレスを有する少なくとも１つのモバイルＩＰ端末を管理サーバに無線接続して成る無線ＬＡＮ網を複数備え、前記複数の無線ＬＡＮ網の管理サーバをそれぞれ呼制御サーバに接続して一括管理するように構成したインターネットにおいて、モバイルＩＰ端末から他のモバイルＩＰ端末に対して電話発信を行う際には、各管理サーバにおいて、モバイルＩＰ端末から送出された端末状態通知を更新記録して成る管理下端末情報通知を生成して送出し、呼制御サーバにおいて、前記各管理サーバから送出された管理下端末情報通知に基づき各モバイルＩＰ端末のメールアドレス、ＩＰアドレスおよび無線接続された管理サーバに関する情報を含むモバイルＩＰ端末管理データベースを生成し、発信側モバイルＩＰ端末をメールアドレス発信モードに切り換えた後に、着信側モバイルＩＰ端末のメールアドレスを無線接続された管理サーバに送出し、前記メールアドレスを受信した管理サーバから呼制御サーバに着信側モバイルＩＰ端末に対する接続要求を送出し、呼制御サーバにおいて、受信した接続要求に基づき前記モバイルＩＰ端末管理データベースを検索することにより、着信側モバイルＩＰ端末を管理する管理サーバに端末接続要求を送出し、前記端末接続要求を受信した管理サーバから着信側モバイルＩＰ端末に当該呼を着信させ、着信側モバイルＩＰ端末の応答に応じて発信側モバイルＩＰ端末および着信側モバイルＩＰ端末間の接続制御を行うから、発信側モバイルＩＰ端末で着信側モバイルＩＰ端末の電話番号の代わりに着信側モバイルＩＰ端末のメールアドレスを用いて電話発信を行い得るようにする、モバイルＩＰ端末に対する電話発信方法を提供することができる。
【００１１】
第２発明によれば、所定のメールアドレスを有する少なくとも１つのモバイルＩＰ端末を管理サーバに無線接続して成る無線ＬＡＮ網を複数備えるインターネットにおいて、モバイルＩＰ端末から他のモバイルＩＰ端末に対して電話発信を行う際には、各管理サーバにおいて、モバイルＩＰ端末から送出された端末状態通知に基づき各モバイルＩＰ端末のメールアドレス、ＩＰアドレスおよび当該管理サーバに関する情報を含むモバイルＩＰ端末管理データベースを生成し、発信側モバイルＩＰ端末をメールアドレス発信モードに切り換えた後に、着信側モバイルＩＰ端末のメールアドレスを無線接続された管理サーバに送出し、前記メールアドレスを受信した管理サーバから他の全ての管理サーバにそれぞれ着信側モバイルＩＰ端末に対する接続要求を送出し、前記接続要求を受信した管理サーバのそれぞれにおいて、受信した接続要求に基づき前記モバイルＩＰ端末管理データベースを検索することにより、着信側モバイルＩＰ端末が管理下にあるか否かを判定し、着信側モバイルＩＰ端末を管理する管理サーバから着信側モバイルＩＰ端末に当該呼を着信させ、着信側モバイルＩＰ端末の応答に応じて発信側モバイルＩＰ端末および着信側モバイルＩＰ端末間の接続制御を行うから、発信側モバイルＩＰ端末で着信側モバイルＩＰ端末の電話番号の代わりに着信側モバイルＩＰ端末のメールアドレスを用いて電話発信を行い得るようにする、モバイルＩＰ端末に対する電話発信方法を提供することができる。
【００１２】
第３発明によれば、所定のメールアドレスを有する少なくとも１つのモバイルＩＰ端末を管理サーバに無線接続して成る無線ＬＡＮ網と、前記無線ＬＡＮ網および少なくとも１つの固定ＩＰ端末を呼制御サーバにＬＡＮ接続して成るインターネットにおいて、固定ＩＰ端末からモバイルＩＰ端末に対して電話発信を行う際には、前記管理サーバにおいて、モバイルＩＰ端末から送出された端末状態通知に基づき各モバイルＩＰ端末のメールアドレスおよびＩＰアドレスに関する情報を含むモバイルＩＰ端末管理データベースを生成し、発信側固定ＩＰ端末をメールアドレス発信モードに切り換えた後に、着信側モバイルＩＰ端末のメールアドレスを前記呼制御サーバに送出し、前記呼制御サーバから前記管理サーバに着信側モバイルＩＰ端末に対する接続要求を送出し、前記管理サーバにおいて、受信した接続要求に基づき前記モバイルＩＰ端末管理データベースから着信側モバイルＩＰ端末を検索し、当該着信側モバイルＩＰ端末に当該呼を着信させ、着信側モバイルＩＰ端末の応答に応じて発信側モバイルＩＰ端末および着信側モバイルＩＰ端末間の接続制御を行うから、発信側固定ＩＰ端末で着信側モバイルＩＰ端末の電話番号の代わりに着信側モバイルＩＰ端末のメールアドレスを用いて電話発信を行い得るようにする、モバイルＩＰ端末に対する電話発信方法を提供することができる。
【発明を実施するための最良の形態】
【００１３】
以下、本発明を実施するための最良の形態を図面に基づき詳細に説明する。
図１は本発明の第１実施形態のモバイルＩＰ端末に対する電話発信方法に用いるＩＰ電話システムの構成を示す図である。本実施形態のＩＰ電話システムは、図１に示すように、各々が所定のメールアドレスを有する複数（図示例では４つ）のモバイルＩＰ端末１ａ−１〜１ａ−４と、モバイルＩＰ端末１ａ−１〜１ａ−４を無線接続される管理サーバ２−１とから成る無線ＬＡＮ網３−１と、各々が所定のメールアドレスを有する複数（図示例では４つ）のモバイルＩＰ端末１ｂ−１〜１ｂ−４と、モバイルＩＰ端末１ｂ−１〜１ｂ−４を無線接続される管理サーバ２−２とから成る無線ＬＡＮ網３−２と、各々が所定のメールアドレスを有する複数（図示例では４つ）のモバイルＩＰ端末１ｃ−１〜１ｃ−４と、モバイルＩＰ端末１ｃ−１〜１ｃ−４を無線接続される管理サーバ２−３とから成る無線ＬＡＮ網３−３と、各々が所定のメールアドレスを有する複数（図示例では４つ）のモバイルＩＰ端末１ｄ−１〜１ｄ−４と、モバイルＩＰ端末１ｄ−１〜１ｄ−４を無線接続される管理サーバ２−４とから成る無線ＬＡＮ網３−４と、無線ＬＡＮ網３−１〜無線ＬＡＮ網３−４をそれぞれＬＡＮ（有線ＬＡＮ）４によって接続されて一括制御する呼制御サーバ５とを具備するインターネット６上に設置されている。このＩＰ電話システムは、現在広く普及しているＩＰｖ４を利用するモバイル環境下に構成されているものとする。なお、上記無線ＬＡＮ網の設置数および各無線ＬＡＮ網を構成するモバイルＩＰ端末の数は、上記図示例に限定されるものではなく、原理的には、インターネット上に１つのモバイルＩＰ端末を無線接続される無線ＬＡＮ網が２つ存在する最小構成においても、本発明のモバイルＩＰ端末に対する電話発信方法を実施することが可能である。また、図１においては、各無線ＬＡＮ網の管理領域が互いに重畳しないように構成されているが、隣接する無線ＬＡＮ網の管理領域が重畳するように構成されていてもよい。
【００１４】
上記モバイルＩＰ端末１ａ−１〜１ａ−４、１ｂ−１〜１ｂ−４、１ｃ−１〜１ｃ−４、１ｄ−１〜１ｄ−４としては、本発明の「モバイルＩＰ端末に対する電話発信方法」に対応する「メールアドレス発信機能」を予めソフトウエアまたはハードウエアによって搭載した専用モバイルＩＰ端末（ＩＰ携帯電話機または事業所コードレスシステム対応ＰＨＳ）を用いるものとする。なお、汎用モバイルＩＰ端末（汎用携帯電話機、汎用ＰＨＳ、ノートパソコンと無線ＬＡＮカードまたはデータ通信カードとの組み合わせ、ＰＤＡと無線ＬＡＮカードまたはデータ通信カードとの組み合わせ等）であっても、上記「メールアドレス発信機能」を搭載するためのソフトウエアを汎用モバイルＩＰ端末に組み込んでおけば、上記モバイルＩＰ端末として使用することが可能である。
【００１５】
上記「メールアドレス発信機能」とは、「相手の電話番号の代わりに相手のメールアドレスを用いて電話発信を行う機能」のことであり、相手の電話番号を用いる「通常の発信モード」から「メールアドレス発信モード」に切り換えたときには、相手のメールアドレスを用いて電話発信を行えるようになる。
【００１６】
上記「メールアドレス発信機能」を搭載した専用モバイルＩＰ端末としては、モバイルＩＰ端末のファンクションキー等の特定のキーを「メールアドレス発信モード切換キー」として設定しておき、「メールアドレス発信モード切換キー」の押下時に移行する「メールアドレス発信モード」では、ディスプレイ画面上に、入力したメールアドレスと、そのメールアドレスを用いて電話発信を行うための発信用ソフトキーとを表示し、発信用ソフトキーの押下に応じて当該メールアドレスのモバイルＩＰ端末に電話発信を行うようにしたもの（メールアドレス直接入力型モバイルＩＰ端末）を用いるものとするが、上記メールアドレス直接入力型モバイルＩＰ端末の代わりに、モバイルＩＰ端末のアドレス帳に登録済みのメールアドレスの中から所望のメールアドレスを選択して表示した状態のディスプレイ画面上に、選択したメールアドレスを用いて電話発信を行うための発信用ソフトキーを表示し、発信用ソフトキーの押下に応じて当該メールアドレスのモバイルＩＰ端末に電話発信を行うようにしたもの（メールアドレス引用型モバイルＩＰ端末）を用いてもよい。また、上記メールアドレス直接入力型モバイルＩＰ端末に上記メールアドレス引用型モバイルＩＰ端末の機能を追加するようにしてもよい。なお、汎用モバイルＩＰ端末に上記「メールアドレス発信機能」を搭載する場合には、上記専用モバイルＩＰ端末の場合と同様に構成すればよい。
【００１７】
上記管理サーバ２−１〜２−４は、無線基地局の機能を備えており、管理下にあるモバイルＩＰ端末（すなわち、当該無線ＬＡＮ網の圏内に存在して、当該管理サーバに無線接続可能な全モバイル端末）を管理するように構成されている。上記管理サーバ２−１〜２−４は、例えば同一事業所内の異なる部署（異なる建物、異なるフロア等）にそれぞれ設置されているものとするが、同一企業の複数の事業所にそれぞれ設置されている場合もある。上記管理サーバ２−１〜２−４は、無線接続されたモバイルＩＰ端末から送出された端末状態通知を更新記録して成る管理下端末情報通知を生成して呼制御サーバ５に送出するように構成されている。
【００１８】
上記呼制御サーバ５は、ＬＡＮ４によって接続された管理サーバ２−１〜２−４を介して、管理サーバ２−１〜２−４に無線接続されている全モバイルＩＰ端末を一括管理するものであり、通常、電話事業キャリアのメールサーバとして設置されているが、インターネットサービスプロバイダのメールサーバや、無線ＬＡＮを設けた企業内のメールサーバとして設置されている場合もある。
上記呼制御サーバ５は、予め組み込まれている管理プログラムを実行することにより、管理サーバ２−１〜２−４から送出された管理下端末情報通知に基づき、少なくとも、各モバイルＩＰ端末のメールアドレス、ＩＰアドレスおよび無線接続された管理サーバに関する情報を含む、モバイルＩＰ端末管理データベースを生成する。このモバイルＩＰ端末管理データベースは、記録されている情報に変化が生じた場合（例えば、モバイルＩＰ端末がある無線ＬＡＮ網の圏内から他の無線ＬＡＮ網の圏内に移動した場合や、モバイルＩＰ端末の電源のＯＮ／ＯＦＦ状態が変化した場合）に更新記録されるようになっている。上記モバイルＩＰ端末管理データベースは、上述した各モバイルＩＰ端末のメールアドレス、ＩＰアドレスおよび無線接続された管理サーバに関する情報は必ず含んでいる必要があるが、他の情報を含んでいてもよく、本実施形態では、後述する「初期端末情報」を構成する情報である、各モバイルＩＰ端末の電話番号ならびに各モバイルＩＰ端末の接続経路および接続方式に関する情報を含んでいる。
【００１９】
次に、本実施形態のＩＰ電話システムにおいてモバイルＩＰ端末に対する電話発信方法を実施する際の各種動作を図２および図３に基づいて詳細に説明する。なお、以下においては、ＩＰｖ４を利用するモバイル環境下において、発信側モバイルＩＰ端末が無線ＬＡＮ網３−１の圏内に存在するモバイルＩＰ端末１ａ−１であり、着信側モバイルＩＰ端末が無線ＬＡＮ網３−２の圏内に存在するモバイルＩＰ端末１ｂ−１であってそのメールアドレスが「ａｂｃ＠ｄｅｆ．ｃｏ．ｊｐ」である場合を例に挙げて説明する。
【００２０】
［モバイルＩＰ端末管理データベースの生成（更新記録）動作］
図２は第１実施形態のＩＰ電話システムにおいてモバイルＩＰ端末に対して電話発信する際のモバイルＩＰ端末等の状態遷移を例示する図である。各モバイルＩＰ端末が図１に示すような所在状態になっているとき、無線ＬＡＮ網３−１の圏内に存在するモバイルＩＰ端末１ａ−１およびモバイルＩＰ端末１ａ−２はそれぞれ、周期的に管理サーバ２−１に端末状態通知（管理サーバ２−１の管理下にいることを示す情報および後述する初期端末情報から成る）を送出し、無線ＬＡＮ網３−２の圏内に存在するモバイルＩＰ端末１ｂ−１は、管理サーバ２−２に端末状態通知（管理サーバ２−２の管理下にいることを示す情報および後述する初期端末情報から成る）を送出する。端末状態通知を受けた管理サーバ２−１は、「モバイルＩＰ端末１ａ−１およびモバイルＩＰ端末１ａ−２が管理下にあること」を示す管理下端末情報通知を呼制御サーバ５に送出し、端末状態通知を受けた管理サーバ２−２は、「モバイルＩＰ端末１ｂ−１が管理下にあること」を示す管理下端末情報通知を呼制御サーバ５に送出する。管理サーバ２−１および管理サーバ２−２からそれぞれ管理下端末情報通知を受けた呼制御サーバ５は、モバイルＩＰ端末１ａ−１、モバイルＩＰ端末１ａ−２およびモバイルＩＰ端末１ｂ−１の端末状態を把握して、各モバイルＩＰ端末に関する情報（少なくとも各モバイルＩＰ端末のメールアドレス、ＩＰアドレスおよび無線接続された管理サーバに関する情報を含む）を記録したモバイルＩＰ端末管理データベースを生成する。
【００２１】
その後、例えば図２に点線で示すように、モバイルＩＰ端末１ａ−１が無線ＬＡＮ網３−１の圏内を離れて無線ＬＡＮ網３−２の圏内に移動した場合には、モバイルＩＰ端末１ａ−１は、「ＩＰアドレス、メールアドレス、電話番号、ネットワーク接続経路および方式に関する情報を含む初期端末情報」を、移動先の管理サーバである管理サーバ２−２に送出（通知）する。このとき、管理サーバ２−１は、モバイルＩＰ端末１ａ−１から端末状態通知が届かなくなったことからモバイルＩＰ端末１ａ−１が自己の管理下を離れたことを認知して、「モバイルＩＰ端末１ａ−１が管理下からいなくなったこと」を示す管理下端末情報通知を呼制御サーバ５に送出し、管理サーバ２−２は、モバイルＩＰ端末１ａ−１から端末状態通知を受けたことからモバイルＩＰ端末１ａ−１が自己の管理下に入ったことを認知して、「モバイルＩＰ端末１ａ−１が管理下に入ったこと」を示す管理下端末情報通知を呼制御サーバ５に送出する。これら管理下端末情報通知を受けた呼制御サーバ５は、「モバイルＩＰ端末１ａ−１が無線接続された管理サーバは管理サーバ２−２であると書き換えるように、モバイルＩＰ端末管理データベースの更新記録を行う。
【００２２】
［メールアドレスを用いたモバイルＩＰ端末からモバイルＩＰ端末への電話発信動作］
図３は第１実施形態のＩＰ電話システムにおいてモバイルＩＰ端末に対してメールアドレスを用いて電話発信したときのモバイルＩＰ端末等の状態遷移を例示する図である。各モバイルＩＰ端末が図１に示すような所在状態になっているとき、発信側モバイルＩＰ端末であるモバイルＩＰ端末１ａ−１において、メールアドレス発信モードに切り換えた後に、着信側モバイルＩＰ端末であるモバイルＩＰ端末１ｂ−１のメールアドレス「ａｂｃ＠ｄｅｆ．ｃｏ．ｊｐ」を管理サーバ２−１に送出する操作が行われると、上記メールアドレスは管理サーバ２−１に到達する。このとき、管理サーバ２−１は、「発信側モバイルＩＰ端末であるモバイルＩＰ端末１ａ−１の初期端末情報」を取得済みであるので、受信したメールアドレス「ａｂｃ＠ｄｅｆ．ｃｏ．ｊｐ」に「モバイルＩＰ端末１ａ−１の初期端末情報」および管理サーバ２−１のＩＰアドレスを付加したネットワーク接続経路情報を用いて、呼制御サーバ５に対して着信側モバイルＩＰ端末１ｂ−１に対する接続要求を送出する。
【００２３】
この接続要求を受けた呼制御サーバ５は、メールアドレス「ａｂｃ＠ｄｅｆ．ｃｏ．ｊｐ」に基づいて登録済みのモバイルＩＰ端末管理データベースを検索して、メールアドレス「ａｂｃ＠ｄｅｆ．ｃｏ．ｊｐ」を管理している管理サーバである管理サーバ２−２に端末接続要求を送出する。この端末接続要求を受けた管理サーバ２−２は、メールアドレス「ａｂｃ＠ｄｅｆ．ｃｏ．ｊｐ」に対応するモバイルＩＰ端末１ｂ−１に当該呼を着信させるとともに、呼制御サーバ５および管理サーバ２−１経由でモバイルＩＰ端末１ａ−１に呼び出し中であることを通知する。上記呼に着信側モバイルＩＰ端末１ｂ−１が応答すると、「応答したこと」が管理サーバ２−２、呼制御サーバ５および管理サーバ２−１経由で発信側モバイルＩＰ端末１ａ−１に通知される。その後、呼制御サーバ５において応答時のネットワーク接続経路情報に基づいて当該ネットワーク接続経路を把握して発信側モバイルＩＰ端末１ａ−１のＩＰアドレスおよび着信側モバイルＩＰ端末１ｂ−１のＩＰアドレスを割り出し、発信側モバイルＩＰ端末１ａ−１および着信側モバイルＩＰ端末１ｂ−１間の接続制御を行う。これによって発信側モバイルＩＰ端末１ａ−１および着信側モバイルＩＰ端末１ｂ−１間が接続され、通話が開始されることになる。
【００２４】
次に、本実施形態のモバイルＩＰ端末に対する電話発信方法の作用を、従来技術と比較しながら説明する。
従来、インターネットにおいて固定ＩＰ電話機等のＩＰ端末からＩＰ端末に発信する際には、発信側ＩＰ端末から送出された「着信側ＩＰ端末の電話番号」をＩＰ電話サービス事業者の呼制御サーバによって着信側ＩＰ端末が接続されたＶｏＩＰアダプタのグローバルＩＰアドレスに変換した後、そのグローバルＩＰアドレスをデータベースから検索し、検索されたグローバルＩＰアドレスを用いて当該着信側ＩＰ端末に発信を行うようにしていたが、現在最も広く普及している「ＩＰｖ４を利用するモバイル環境下」では、ＩＰアドレスはプライベートアドレスによって管理されるているため、ＩＰアドレスに変化が生じてしまい、着信側ＩＰ端末の接続位置（ＶｏＩＰアダプタのグローバルＩＰアドレス）を特定することが困難であった。将来規格であるＭｏｂｉｌｅ  ＩＰやＩＰｖ６ではそのような問題は生じないが、Ｍｏｂｉｌｅ  ＩＰやＩＰｖ６は、ＩＰｖ４に比べて普及していないため、現状では、ＩＰｖ４を用いたモバイル環境に対応せざるを得ない。
また、ＩＰｖ４を用いたモバイル環境下においては、メールアドレスを利用した情報交換が多いため、相手のメールアドレスは知っているが相手の電話番号は知らないという場合が多い。そのような相手のＩＰ端末と直接的な通話を行いたい場合には、上述した特許文献１記載の従来技術のように、事前に「相手の電話番号（相手のＩＰアドレスに対応する）を取得するためのメール」を送付する必要があるので、実際に通話が開始されるまでに手間および時間が掛かる。その上、ＩＰアドレスの変化しやすいＩＰｖ４を用いたモバイル環境下では、取得した発信側ＩＰ端末のＩＰアドレスがプライベートアドレスであるので、着信側ＩＰ端末の接続位置（ＶｏＩＰアダプタのグローバルＩＰアドレス）の特定が困難であることから、実際に接続が成功する可能性も低くなる。
【００２５】
これに対し、本実施形態のモバイルＩＰ端末に対する電話発信方法によれば、図１のように構成されたＩＰ電話システムを包含するインターネット上で、管理サーバに無線接続されたモバイルＩＰ端末から他の管理サーバに無線接続された他のモバイルＩＰ端末に対して電話発信を行う際には、管理サーバを一括管理する呼制御サーバにおいて、発信側モバイルＩＰ端末から送出された着信側モバイルＩＰ端末のメールアドレスを含む接続要求に基づいて「各モバイルＩＰ端末のメールアドレス、ＩＰアドレスおよび無線接続された管理サーバに関する情報を含むモバイルＩＰ端末管理データベース」を検索することにより着信側モバイルＩＰ端末を管理する管理サーバに端末接続要求を送出し、この端末接続要求を受信した管理サーバから着信側モバイルＩＰ端末に当該呼を着信させ、着信側モバイルＩＰ端末の応答に応じて発信側モバイルＩＰ端末および着信側モバイルＩＰ端末間の接続制御を行うから、ＩＰｖ４を用いたモバイル環境下において発信側モバイルＩＰ端末で着信側モバイルＩＰ端末の電話番号の代わりに着信側モバイルＩＰ端末のメールアドレスを用いて電話発信を行い得るようになり、実際に通話が開始されるまでの時間を短縮するとともに、事前に相手の電話番号等を取得するために電子メールを送る手間およびそれに掛かるコストを無くすことができる。また、その際、発信側ユーザは、発信側モバイルＩＰ端末として例えば即時通知性の高いＩＰ携帯電話機を使用すれば良いので、ユーザの利便性が向上し、利用方法の幅が広がることになる。さらに、発信側モバイルＩＰ端末として上述した「メールアドレス引用型モバイルＩＰ端末」を用いる場合には、発信者は、事前にアドレス帳に登録済みのメールアドレスの中から通話を行いたい相手のメールアドレスを選択して発信操作を行うだけで、上記と同様にメールアドレスを用いた電話発信を行うことができるようになる。
【００２６】
なお、上記においては、プライベートＩＰアドレスを使用するＩＰｖ４を用いたモバイル環境に本発明を適用した例を挙げたが、グローバルＩＰアドレスを使用するモバイル環境や、将来規格であるＭｏｂｉｌｅ  ＩＰや、ＩＰｖ６を用いたモバイル環境に本発明を適用し得ることは言うまでもない。
【００２７】
図４は本発明の第２実施形態のモバイルＩＰ端末に対する電話発信方法に用いるＩＰ電話システムの構成を示す図である。本実施形態のＩＰ電話システムは、図１に示す第１実施形態のＩＰ電話システムに対し、呼制御サーバ５を省略するとともに管理サーバ２−１〜２−４をＬＡＮ（有線ＬＡＮ）４によって相互接続する変更を加えたものであり、それ以外の部分は、上記第１実施形態と同様に構成する。
【００２８】
本実施形態においては、上記管理サーバ２−１〜２−４は、無線基地局の機能を備えており、管理下にあるモバイルＩＰ端末（すなわち、当該無線ＬＡＮ網の圏内に存在して、当該管理サーバに無線接続可能な全モバイル端末）を管理するように構成されているが、それに加えて、上記第１実施形態における呼制御サーバの機能も備えている。すなわち、本実施形態における管理サーバ２−１〜２−４は、予め組み込まれている管理プログラムを実行することにより、管理下のモバイルＩＰ端末から送出された端末状態通知に基づき、少なくとも、各モバイルＩＰ端末のメールアドレス、ＩＰアドレスおよび当該管理サーバに関する情報を含むモバイルＩＰ端末管理データベースを生成するように構成されている。このモバイルＩＰ端末管理データベースは、記録されている情報に変化が生じた場合（例えば、モバイルＩＰ端末がある無線ＬＡＮ網の圏内から他の無線ＬＡＮ網の圏内に移動した場合や、モバイルＩＰ端末の電源のＯＮ／ＯＦＦ状態が変化した場合）に更新記録されるようになっている。上記モバイルＩＰ端末管理データベースは、上述した各モバイルＩＰ端末のメールアドレス、ＩＰアドレスおよび当該管理サーバに関する情報は必ず含んでいる必要があるが、他の情報を含んでいてもよく、本実施形態では、後述する「初期端末情報」を構成する情報である、各モバイルＩＰ端末の電話番号ならびに各モバイルＩＰ端末の接続経路および接続方式に関する情報を含んでいる。
【００２９】
次に、本実施形態のＩＰ電話システムにおいてモバイルＩＰ端末に対する電話発信方法を実施する際の各種動作を図５および図６に基づいて詳細に説明する。なお、以下においては、ＩＰｖ４を利用するモバイル環境下において、発信側モバイルＩＰ端末が無線ＬＡＮ網３−１の圏内に存在するモバイルＩＰ端末１ａ−１であり、着信側モバイルＩＰ端末が無線ＬＡＮ網３−２の圏内に存在するモバイルＩＰ端末１ｂ−１であってそのメールアドレスが「ａｂｃ＠ｄｅｆ．ｃｏ．ｊｐ」である場合を例に挙げて説明する。
【００３０】
［モバイルＩＰ端末管理データベースの生成（更新記録）動作］
図５は第２実施形態のＩＰ電話システムにおいてモバイルＩＰ端末に対して電話発信する際のモバイルＩＰ端末等の状態遷移を例示する図である。各モバイルＩＰ端末が図４に示すような所在状態になっているとき、無線ＬＡＮ網３−１の圏内に存在するモバイルＩＰ端末１ａ−１およびモバイルＩＰ端末１ａ−２はそれぞれ、周期的に管理サーバ２−１に端末状態通知（管理サーバ２−１の管理下にいることを示す情報および後述する初期端末情報から成る）を送出し、無線ＬＡＮ網３−２の圏内に存在するモバイルＩＰ端末１ｂ−１は、管理サーバ２−２に端末状態通知（管理サーバ２−２の管理下にいることを示す情報および後述する初期端末情報から成る）を送出する。端末状態通知を受けた管理サーバ２−１は、「モバイルＩＰ端末１ａ−１およびモバイルＩＰ端末１ａ−２が管理下にあること」を把握して、各モバイルＩＰ端末に関する情報（少なくとも各モバイルＩＰ端末のメールアドレス、ＩＰアドレスおよび当該管理サーバに関する情報を含む）を記録したモバイルＩＰ端末管理データベースを生成し、端末状態通知を受けた管理サーバ２−２は、「モバイルＩＰ端末１ｂ−１が管理下にあること」を把握して、各モバイルＩＰ端末に関する情報（少なくとも各モバイルＩＰ端末のメールアドレス、ＩＰアドレスおよび当該管理サーバに関する情報を含む）を記録したモバイルＩＰ端末管理データベースを生成する。
【００３１】
その後、例えば図５に点線で示すように、モバイルＩＰ端末１ａ−１が無線ＬＡＮ網３−１の圏内を離れて無線ＬＡＮ網３−２の圏内に移動した場合には、モバイルＩＰ端末１ａ−１は、「ＩＰアドレス、メールアドレス、電話番号、ネットワーク接続経路および方式に関する情報を含む初期端末情報」を、移動先の管理サーバである管理サーバ２−２に送出（通知）する。このとき、管理サーバ２−１は、モバイルＩＰ端末１ａ−１から端末状態通知が届かなくなったことからモバイルＩＰ端末１ａ−１が自己の管理下を離れたことを認知して、「モバイルＩＰ端末１ａ−１が管理下からいなくなったこと」を反映させるように自己のモバイルＩＰ端末管理データベースの更新記録を行い、管理サーバ２−２は、モバイルＩＰ端末１ａ−１から端末状態通知を受けたことからモバイルＩＰ端末１ａ−１が自己の管理下に入ったことを認知して、「モバイルＩＰ端末１ａ−１が管理下に入ったこと」を反映させるように自己のモバイルＩＰ端末管理データベースの更新記録を行う。
【００３２】
［メールアドレスを用いたモバイルＩＰ端末からモバイルＩＰ端末への電話発信動作］
図６は第２実施形態のＩＰ電話システムにおいてモバイルＩＰ端末に対してメールアドレスを用いて電話発信したときのモバイルＩＰ端末等の状態遷移を例示する図である。各モバイルＩＰ端末が図４に示すような所在状態になっているとき、発信側モバイルＩＰ端末であるモバイルＩＰ端末１ａ−１において、メールアドレス発信モードに切り換えた後に、着信側モバイルＩＰ端末であるモバイルＩＰ端末１ｂ−１のメールアドレス「ａｂｃ＠ｄｅｆ．ｃｏ．ｊｐ」を管理サーバ２−１に送出する操作が行われると、上記メールアドレスは管理サーバ２−１に到達する。このとき、管理サーバ２−１は、「発信側モバイルＩＰ端末であるモバイルＩＰ端末１ａ−１の初期端末情報」を取得済みであるので、受信したメールアドレス「ａｂｃ＠ｄｅｆ．ｃｏ．ｊｐ」に「モバイルＩＰ端末１ａ−１の初期端末情報」および管理サーバ２−１のＩＰアドレスを付加したネットワーク接続経路情報を用いて、他の全ての管理サーバである管理サーバ２−２、２−３、２−４にそれぞれ、着信側モバイルＩＰ端末１ｂ−１に対する接続要求を送出する。
【００３３】
これら接続要求を受けた管理サーバ２−２、２−３、２−４はそれぞれ、メールアドレス「ａｂｃ＠ｄｅｆ．ｃｏ．ｊｐ」に基づいて登録済みのモバイルＩＰ端末管理データベースを検索して、メールアドレス「ａｂｃ＠ｄｅｆ．ｃｏ．ｊｐ」を有する着信側モバイルＩＰ端末が管理下にあるか否かを判定する。これらの判定により、メールアドレス「ａｂｃ＠ｄｅｆ．ｃｏ．ｊｐ」を有する着信側モバイルＩＰ端末が管理下にあることが判明した管理サーバ２−２は、メールアドレス「ａｂｃ＠ｄｅｆ．ｃｏ．ｊｐ」に対応するモバイルＩＰ端末１ｂ−１に当該呼を着信させるとともに、管理サーバ２−１経由でモバイルＩＰ端末１ａ−１に呼び出し中であることを通知する。上記呼に着信側モバイルＩＰ端末１ｂ−１が応答すると、「応答したこと」が管理サーバ２−２および管理サーバ２−１経由で発信側モバイルＩＰ端末１ａ−１に通知される。その後、管理サーバ２−１および管理サーバ３−３において応答時のネットワーク接続経路情報に基づいて当該ネットワーク接続経路を把握して発信側モバイルＩＰ端末１ａ−１のＩＰアドレスおよび着信側モバイルＩＰ端末１ｂ−１のＩＰアドレスを割り出し、発信側モバイルＩＰ端末１ａ−１および着信側モバイルＩＰ端末１ｂ−１間の接続制御を行う。これによって発信側モバイルＩＰ端末１ａ−１および着信側モバイルＩＰ端末１ｂ−１間が接続され、通話が開始されることになる。
【００３４】
本実施形態のモバイルＩＰ端末に対する電話発信方法によれば、図４のように構成されたＩＰ電話システムを包含するインターネット上で、管理サーバに無線接続されたモバイルＩＰ端末から他の管理サーバに無線接続された他のモバイルＩＰ端末に対して電話発信を行う際には、発信側モバイルＩＰ端末を無線接続された管理サーバから他の全ての管理サーバに対して着信側モバイルＩＰ端末１ｂ−１に対する接続要求を送出し、これら接続要求を受けた他の全ての管理サーバはそれぞれ、着信側モバイルＩＰ端末のメールアドレスを含む接続要求に基づいて「各モバイルＩＰ端末のメールアドレス、ＩＰアドレスおよび当該管理サーバに関する情報を含むモバイルＩＰ端末管理データベース」を検索することにより当該着信側モバイルＩＰ端末が管理下にあるか否かを判定し、管理下にあることが判明した管理サーバから着信側モバイルＩＰ端末に当該呼を着信させ、着信側モバイルＩＰ端末の応答に応じて発信側モバイルＩＰ端末および着信側モバイルＩＰ端末間の接続制御を行うから、ＩＰｖ４を用いたモバイル環境下において発信側モバイルＩＰ端末で着信側モバイルＩＰ端末の電話番号の代わりに着信側モバイルＩＰ端末のメールアドレスを用いて電話発信を行い得るようになり、実際に通話が開始されるまでの時間を短縮するとともに、事前に相手の電話番号等を取得するために電子メールを送る手間およびそれに掛かるコストを無くすことができる。また、その際、発信側ユーザは、発信側モバイルＩＰ端末として例えば即時通知性の高いＩＰ携帯電話機を使用すれば良いので、ユーザの利便性が向上し、利用方法の幅が広がることになる。さらに、発信側モバイルＩＰ端末として上述した「メールアドレス引用型モバイルＩＰ端末」を用いる場合には、発信者は、事前にアドレス帳に登録済みのメールアドレスの中から通話を行いたい相手のメールアドレスを選択して発信操作を行うだけで、上記と同様にメールアドレスを用いた電話発信を行うことができるようになる。
【００３５】
なお、上記第１実施形態と上記第２実施形態とを比較した場合、呼制御サーバを備える第１実施形態は、ネットワーク負荷（トラフィック）が軽減される利点があるが、呼制御サーバを備えていない第２実施形態は、呼制御サーバを省いたことによりシステム構築コストが低減される利点があり、小規模なＩＰ電話システムに適している。
【００３６】
図７は本発明の第３実施形態のモバイルＩＰ端末に対する電話発信方法に用いるＩＰ電話システムの構成を示す図である。本実施形態のＩＰ電話システムは、図１に示す第１実施形態のＩＰ電話システムに対し、無線ＬＡＮ網の一部を有線ＬＡＮに置き換えて固定ＩＰ端末７−１〜７−６をＬＡＮ（有線ＬＡＮ）４によって呼制御サーバ５に直接接続する変更を加えたものであり、それ以外の部分は、上記第１実施形態と同様に構成する。なお、本実施形態の固定ＩＰ端末７−１〜７−６は、第１実施形態のモバイルＩＰ端末と同様の構造の「メールアドレス直接入力型固定ＩＰ端末」または「メールアドレス引用型固定ＩＰ端末」として構成されているものとする。
【００３７】
次に、本実施形態のＩＰ電話システムにおいてモバイルＩＰ端末に対する電話発信方法を実施する際の各種動作を図８および図９に基づいて詳細に説明する。なお、以下においては、ＩＰｖ４を利用するモバイル環境下において、発信側ＩＰ端末がインターネット７内に存在する固定ＩＰ端末７−１であり、着信側モバイルＩＰ端末が無線ＬＡＮ網３の圏内に存在するモバイルＩＰ端末１ａ−１であってそのメールアドレスが「ａｂｃ＠ｄｅｆ．ｃｏ．ｊｐ」である場合を例に挙げて説明する。
【００３８】
［モバイルＩＰ端末管理データベースの生成（更新記録）動作］
図８は第３実施形態のＩＰ電話システムにおいてモバイルＩＰ端末に対して電話発信する際のモバイルＩＰ端末等の状態遷移を例示する図である。各モバイルＩＰ端末が図７に示すような所在状態になっているとき、無線ＬＡＮ網３の圏内に存在するモバイルＩＰ端末１ａ−１およびモバイルＩＰ端末１ａ−２はそれぞれ、周期的に管理サーバ２に端末状態通知（管理サーバ２の管理下にいることを示す情報および第１実施形態と同様の初期端末情報から成る）を送出する。端末状態通知を受けた管理サーバ２は、「モバイルＩＰ端末１ａ−１およびモバイルＩＰ端末１ａ−２が管理下にあること」を把握して、各モバイルＩＰ端末に関する情報（少なくとも各モバイルＩＰ端末のメールアドレスおよびＩＰアドレスを含む）を記録したモバイルＩＰ端末管理データベースを生成する。なお、インターネット７内に複数の無線ＬＡＮ網が存在し、モバイルＩＰ端末が１つの無線ＬＡＮ網から他の無線ＬＡＮ網へ移動する場合は、上記第１実施形態と同様に、初期端末情報の送出およびモバイルＩＰ端末管理データベースの更新記録を行うことになる。
【００３９】
［メールアドレスを用いた固定ＩＰ端末からモバイルＩＰ端末への電話発信動作］
図９は第３実施形態のＩＰ電話システムにおいてモバイルＩＰ端末に対してメールアドレスを用いて電話発信したときのモバイルＩＰ端末等の状態遷移を例示する図である。各モバイルＩＰ端末が図７に示すような所在状態になっているとき、発信側ＩＰ端末である固定ＩＰ端末７−１において、メールアドレス発信モードに切り換えた後に、着信側モバイルＩＰ端末であるモバイルＩＰ端末１ａ−１のメールアドレス「ａｂｃ＠ｄｅｆ．ｃｏ．ｊｐ」を呼制御サーバ５に送出する操作が行われると、上記メールアドレスは呼制御サーバ５に到達する。このとき、呼制御サーバ５は、「発信側ＩＰ端末である固定ＩＰ端末７−１の初期端末情報」を取得済みであるので、受信したメールアドレス「ａｂｃ＠ｄｅｆ．ｃｏ．ｊｐ」に「固定ＩＰ端末７−１の初期端末情報」を付加したネットワーク接続経路情報を用いて、管理サーバ２に、着信側モバイルＩＰ端末１ａ−１に対する接続要求を送出する。
【００４０】
この接続要求を受けた管理サーバ２は、メールアドレス「ａｂｃ＠ｄｅｆ．ｃｏ．ｊｐ」に基づいて登録済みのモバイルＩＰ端末管理データベースを検索して、メールアドレス「ａｂｃ＠ｄｅｆ．ｃｏ．ｊｐ」に対応するモバイルＩＰ端末１ａ−１に当該呼を着信させるとともに、呼制御サーバ５経由で固定ＩＰ端末７−１に呼び出し中であることを通知する。上記呼に着信側モバイルＩＰ端末１ａ−１が応答すると、「応答したこと」が管理サーバ２および呼制御サーバ５経由で発信側固定ＩＰ端末７−１に通知される。その後、呼制御サーバ５において応答時のネットワーク接続経路情報に基づいて当該ネットワーク接続経路を把握して発信側固定ＩＰ端末７−１のＩＰアドレスおよび着信側モバイルＩＰ端末１ａ−１のＩＰアドレスを割り出し、発信側固定ＩＰ端末７−１および着信側モバイルＩＰ端末１ａ−１間の接続制御を行う。これによって発信側固定ＩＰ端末７−１および着信側モバイルＩＰ端末１ａ−１間が接続され、通話が開始されることになる。
【００４１】
本実施形態のモバイルＩＰ端末に対する電話発信方法によれば、図７のように構成されたＩＰ電話システムを包含するインターネット上で、呼制御サーバに有線ＬＡＮ接続された固定ＩＰ端末から管理サーバに無線接続されたモバイルＩＰ端末に対して電話発信を行う際には、発信側固定ＩＰ端末から送出された着信側モバイルＩＰ端末のメールアドレスを受けた呼制御サーバから管理サーバに「着信側モバイルＩＰ端末に対する接続要求」が送出され、それを受けた管理サーバにおいて、前記接続要求に基づいて「各モバイルＩＰ端末のメールアドレスおよびＩＰアドレスを含むモバイルＩＰ端末管理データベース」を検索することにより、着信側モバイルＩＰ端末に当該呼を着信させ、着信側モバイルＩＰ端末の応答に応じて発信側固定ＩＰ端末および着信側モバイルＩＰ端末間の接続制御を行うから、ＩＰｖ４を用いたモバイル環境下において発信側固定ＩＰ端末で着信側モバイルＩＰ端末の電話番号の代わりに着信側モバイルＩＰ端末のメールアドレスを用いて電話発信を行い得るようになり、実際に通話が開始されるまでの時間を短縮するとともに、事前に相手の電話番号等を取得するために電子メールを送る手間およびそれに掛かるコストを無くすことができる。その際、発信側ユーザは、発信側固定ＩＰ端末として例えば即時通知性の高い固定ＩＰ端末を使用すれば良いので、ユーザの利便性が向上し、利用方法の幅が広がることになる。さらに、発信側固定ＩＰ端末として上述した「メールアドレス引用型固定ＩＰ端末」を用いる場合には、発信者は、事前にアドレス帳に登録済みのメールアドレスの中から通話を行いたい相手のメールアドレスを選択して発信操作を行うだけで、上記と同様にメールアドレスを用いた電話発信を行うことができるようになる。
【図面の簡単な説明】
【００４２】
【図１】本発明の第１実施形態のモバイルＩＰ端末に対する電話発信方法に用いるＩＰ電話システムの構成を示す図である。
【図２】第１実施形態のＩＰ電話システムにおいてモバイルＩＰ端末に対して電話発信する際のモバイルＩＰ端末等の状態遷移を例示する図である。
【図３】第１実施形態のＩＰ電話システムにおいてモバイルＩＰ端末に対してメールアドレスを用いて電話発信したときのモバイルＩＰ端末等の状態遷移を例示する図である。
【図４】本発明の第２実施形態のモバイルＩＰ端末に対する電話発信方法に用いるＩＰ電話システムの構成を示す図である。
【図５】第２実施形態のＩＰ電話システムにおいてモバイルＩＰ端末に対して電話発信する際のモバイルＩＰ端末等の状態遷移を例示する図である。
【図６】第２実施形態のＩＰ電話システムにおいてモバイルＩＰ端末に対してメールアドレスを用いて電話発信したときのモバイルＩＰ端末等の状態遷移を例示する図である。
【図７】本発明の第３実施形態のモバイルＩＰ端末に対する電話発信方法に用いるＩＰ電話システムの構成を示す図である。
【図８】第３実施形態のＩＰ電話システムにおいてモバイルＩＰ端末に対して電話発信する際のモバイルＩＰ端末等の状態遷移を例示する図である。
【図９】第３実施形態のＩＰ電話システムにおいてモバイルＩＰ端末に対してメールアドレスを用いて電話発信したときのモバイルＩＰ端末等の状態遷移を例示する図である。
【符号の説明】
【００４３】
１ａ−１〜１ａ−４  モバイルＩＰ端末
１ｂ−１〜１ｂ−４  モバイルＩＰ端末
１ｃ−１〜１ｃ−４  モバイルＩＰ端末
１ｄ−１〜１ｄ−４  モバイルＩＰ端末
２，２−１〜２−４  管理サーバ
３，３−１〜３−４  無線ＬＡＮ網
４  ＬＡＮ（有線ＬＡＮ）
５  呼制御サーバ
６  インターネット
７−１〜７−６  固定ＩＰ端末−１
【図１】
2005354458.tif 000003
【図２】
2005354458.tif 000004
【図３】
2005354458.tif 000005
【図４】
2005354458.tif 000006
【図５】
2005354458.tif 000007
【図６】
2005354458.tif 000008
【図７】
2005354458.tif 000009
【図８】
2005354458.tif 000010
【図９】
2005354458.tif 000011